(57)【要約】【課題】好みの衣服の使用前後に取り付け、取り外しが自由にでき、且つボタン自体を装飾品として好みのボタンを選んで簡単に着脱可能なボタン止具の提供。【解決手段】ボタン止具は脚部２を有するボタン本体１とボタン受け具Ｔ１とからなり、ボタン受け具Ｔ１は母体となる扁平筒状体３とバネ部材４を介して扁平筒状体３のガイド部３ａに沿ってスライドする抜け止め部材５とから成り、扁平筒状体３の上面中央近傍に前記被服の穴６と係合するボタンの脚部挿通用穴３ｂを有し、抜け止め部材５をバネ部材４の付勢力に抗して摘んだときに開口した状態の脚部挿通用穴３ｂにボタンの脚部２を挿通し、摘みを解放すると抜け止め部材５が閉じる方向に働き、ボタンの脚部２の先端係止部７が係止され、ボタン本体１の種類を変えて自由に所望のボタンと交換してボタン本体１とボタン受け具Ｔ１とを被服を介して固定可能な構成としたことを特徴とする。【選択図】図１
2007083015.tif 000002
【特許請求の範囲】
【請求項１】
被服のボタンを挿通する所定のボタン穴に所定のボタンを挿通して被服に係着するボタン止具であって、該ボタン止具は脚部を有するボタン本体とボタン受け具とからなり、該ボタン受け具は母体となる扁平筒状体とバネ部材を介して前記扁平筒状体のガイド部に沿ってスライドする抜け止め部材とから成り、前記扁平筒状体の上面中央近傍に前記被服のボタン穴と係合する前記ボタンの脚部挿通用穴を有し、前記抜け止め部材をバネ部材の付勢力に抗して摘んだときに開口した状態の前記脚部挿通用穴に前記ボタンの脚部を挿通し、摘みを解放すると前記バネ部材の付勢力により前記抜け止め部材が閉じる方向に働き、前記ボタンの脚部の先端係止部が係止され、ボタン本体の種類を変えて自由に所望のボタンと交換してボタン本体とボタン受け具とを被服を介して固定可能な構成としたことを特徴とするボタン止具。
【請求項２】
請求項１に記載のボタン止具の構成要素であるボタン受け具を二段構造として被服の左右両前見ごろの間に介在せしめ、該ボタン受け具を摘み易くするために前記扁平筒状体を抜け止部材と共に大小大きさを変えて表裏両側とも別個に摘み操作可能な対向する一体構造と成し、被服に装着する際に糸や針を用いて取着する必要が無く、表側のボタン本体及び裏側の止めボタンを被服及び扁平筒状体のそれぞれの所定の穴を介してそれぞれ表裏両側から着脱自在であって、前記ボタン受け具を介して左右両前見ごろを係着可能な構成としたことを特徴とするボタン止具。
【発明の詳細な説明】
【技術分野】
【０００１】
本発明は、被服に取着するボタン止具に関する。
【背景技術】
【０００２】
従来ボタンは、縫い針と糸を用いて被服に取着し固定して着用するのが通例である。
【０００３】
また、先行技術として、例えば学生服等の洋服の袖ボタンを、袖に着脱可能に取り付けるための袖ボタン係止具が開示されている（例えば、特許文献１参照。）。
【特許文献１】実開昭５８−１８３１１０号公報
【発明の開示】
【発明が解決しようとする課題】
【０００４】
然しながら、上述の従来例では簡単にボタンを取り替えることはできなかった。また、学生服等の洋服の場合、学校によってボタンにそれぞれ特徴があり、学校が変わればそれに合わせてボタンを取り替えねばならず、一般的には面倒がられていた。前述の先行技術は、学生服の袖口に取り付ける袖ボタンを板状バネを用いた係止具で着脱できるようにしたもので、この場合は袖口の「あき」の上布に取り付ける袖ボタン用として考案されたもので、大きさ、構造、体裁などの点で他の部位に用いるには課題が残るものである。
【０００５】
本発明は、上述の事情に鑑みて成されたもので、好みの衣服の使用前後に取り付け、取り外しが自由にでき、且つボタン自体を装飾品として好みのボタンを選んで簡単に取り付け、取り外し可能な、衣服を打ち合わせてとめるためのボタン止具を提供することを目的とする。
【課題を解決するための手段】
【０００６】
本発明は、下記構成を備えることにより上記課題を解決できるものである。
【０００７】
（１）被服のボタンを挿通する所定のボタン穴に所定のボタンを挿通して被服に係着するボタン止具であって、該ボタン止具は脚部を有するボタン本体とボタン受け具とからなり、該ボタン受け具は母体となる扁平筒状体とバネ部材を介して前記扁平筒状体のガイド部に沿ってスライドする抜け止め部材とから成り、前記扁平筒状体の上面中央近傍に前記被服のボタン穴と係合する前記ボタンの脚部挿通用穴を有し、前記抜け止め部材をバネ部材の付勢力に抗して摘んだときに開口した状態の前記脚部挿通用穴に前記ボタンの脚部を挿通し、摘みを解放すると前記バネ部材の付勢力により前記抜け止め部材が閉じる方向に働き、前記ボタンの脚部の先端係止部が係止され、ボタン本体の種類を変えて自由に所望のボタンと交換してボタン本体とボタン受け具とを被服を介して固定可能な構成としたボタン止具。
【０００８】
（２）前項（１）に記載のボタン止具の構成要素であるボタン受け具を二段構造として被服の左右両前見ごろの間に介在せしめ、該ボタン受け具を摘み易くするために前記扁平筒状体を抜け止部材と共に大小大きさを変えて表裏両側とも別個に摘み操作可能な対向する一体構造と成し、被服に装着する際に糸や針を用いて取着する必要が無く、表側のボタン本体及び裏側の止めボタンを被服及び扁平筒状体のそれぞれの所定の穴を介してそれぞれ表裏両側から着脱自在であって、前記ボタン受け具を介して左右両前見ごろを係着可能な構成としたボタン止具。
【発明の効果】
【０００９】
本発明によれば、好みの衣服の使用前後に取り付け、取り外しが自由にでき、且つボタン自体を装飾品として好みのボタンを選んで簡単に取り付け、取り外し可能な、衣服を打ち合わせてとめるためのボタン止具を提供することが出来る。
【発明を実施するための最良の形態】
【００１０】
以下本発明に係るボタン止具の実施の形態を説明する。
【００１１】
図１は、実施例１における要部構成を示す説明図、（ａ）は縦断面図、（ｂ）は平面図、（ｃ）は要部構成を示す斜視図、（ｄ）は構成要素の一例を示す斜視図、図２は、実施例１における作用状況を示す説明図、（ａ）は縦断面図、（ｂ）は平面図、図３は、実施例２における要部構成を示す説明図、（ａ）は縦断面図、（ｂ）は構成要素の斜視図、図４は、実施例３における要部構成を示す説明図、（ａ）は縦断面図、（ｂ）は作用状況を示す平面図、（ｃ）は実施例４の変形例の作用状況を示す平面図である。
【００１２】
以下図面を参照して実施例を説明する。
【実施例１】
【００１３】
実施例１は、図１に示すように、対向して配された一対の抜け止め部材５，５を設けた場合であり、被服Ｗ１のボタンを取り付ける部位の所定のボタン穴６に挿着して用いる被服Ｗ１に取り付けるボタン止具であって、脚部２を有するボタン本体１とボタン受け具Ｔ１とからなり、ボタン受け具Ｔ１は母体となる例えば角型の扁平筒状体３とバネ部材４を介して前記扁平筒状体３の側面３ｅの所定部位に角窓状に打ち抜かれた棚状板部をガイドとするガイド部３ｂに沿ってスライドする抜け止め部材５とから成り、前記扁平筒状体３の上面中央近傍に前記被服のボタン穴６と係合する前記ボタンの脚部挿通用穴３ｆを有し、前記抜け止め部材５をバネ部材４の付勢力に抗して摘んだときに（図２の矢印イ、ロ）開口した状態の前記脚部挿通用穴３ｆに前記ボタンの脚部２を挿通し、摘みを解放すると前記抜け止め部材５、５が閉じる方向に働き、前記ボタンの脚部２の先端係止部２ａが係止され、ボタン本体１の種類を変えて自由に所望のボタンと交換してボタン本体１とボタン受け具Ｔ１とを被服Ｗ１を介して固定可能な構成としてある。
【００１４】
ボタン受け具Ｔ１を構成する扁平筒状体３は、ボタン受け具Ｔ１の母体の役目を為し、図示するように、扁平の角筒状を呈し、両端開口側から前記脚部挿通用の穴部３ｃを有する枠部材と板状の柄の部分から成る羽子板類似形状の抜け止め部材５、５が扁平筒状体３の側面３ｅに設けた棚状のガイド部３ｂに沿って進退自在であり、コイル部４ａの両端を伸ばし一端を扁平筒状体３の側面３ｅに打圧して突設したバネ線係止部３ｃの細孔に貫設して固定し、９０度方向に伸ばした他端を前記抜け止め部材５、５の所定位置に打圧して突設したバネ線係止部５ｄの細孔に貫設して固定し、コイル部が巻き戻る方向に付勢されて前記コイル部を支点に回動してバネ力で抜け止め部材５、５をスライド移動可能であり、本実施例の場合は、抜け止め部材５の基端部５ａ、５ａに当接するように指先で摘んだ時はバネの付勢力に抗して抜け止め部材５、５は前進して対の抜け止め部材５、５の枠部材端部５ｂ、５ｂは互いに離れる方向にスライドし、抜け止め部材５の端部５ａ、５ａから指先を離して摘みを開放するとバネ力が働いて後退し、対の抜け止め部材５、５の枠部材端部５ｂ、５ｂは互いに接近して閉じる状態となり、ボタンを脚部２の係止部２ａを介して固定する構成となっている。
【００１５】
図１（ａ）、（ｂ）、（ｃ）及び（ｄ）は上記の状況と構成要素を示している。
【００１６】
図２（ａ）、（ｂ）は摘み操作を加えた状態を示した図であり、抜け止め部材５、５の端部５ａ、５ａを図中矢印イ、ロの方向から指を当接して摘んだときに、抜け止め部材５、５の枠部材端部５ｂ、５ｂが互いに離れて開放され脚部２が出入り可能に窓が開いた状態となり、ボタン本体１が装脱可能な構成となっている。
【００１７】
図面は全て拡大図であり、実際の寸法は、例えば、ボタン受け具Ｔ１の高さ寸法は５ｍｍ前後のミリオーダーの大きさである。
【００１８】
係止穴５ｃとなる枠部材の穴の形状はボタンの脚部２の形状に係合するように構成すればよく、実施例の図面では、断面形状を長方形状としたが、この場合はボタン本体１が取り付ける向きを指定し、ボタンの向きを規制可能な構成としたものであり、ボタン本体１のデザインによって、向きを規制するか、向きを考慮しなくてもよいかで決めればよく、ボタンの向きを考慮する必要がなければ、例えば、ボタンの脚部２の断面形状は円形など自由に絵柄や形状を選択できる構成とすることが出来る。
【００１９】
抜け止め部材５、５は、扁平筒状体３の両側面３ｅ、３ｅに設けた棚状のガイド部３ｂ、３ｂに沿って進退自在であり、このガイド部３ｂ、３ｂは長方形の窓を一辺を残してコ字状に切り込みを入れ、押圧若しくは打圧して扁平筒状体３の両側面３ｅ、３ｅの内側に棚状に突設して抜け止め部材５のスライド移動時のガイドを構成している。
【００２０】
また、扁平筒状体３の両側面３ｅ、３ｅに設けたバネ線係止部３ｃ、３ｃ及び抜け止め部材５、５のバネ線係止部５ｄ、５ｄは、共に各所定部位に平行な所定長さの切り込みを複数設け、少なくとも１以上の三角の頂点を形成する突起を生ぜしめて小孔を形成させ、この小孔にバネ線４ｂを挿通してバネ部材４を所定位置に固定するようになっている（図１（ｃ）、及び図３参照）。
【００２１】
その他の符号について、Ｗ１は重ね合わせたときに一番表にくる生地をイメージしたものであり、Ｗ２は重ね合わせたときに裏側にくる生地をイメージしたものである。
【００２２】
扁平筒状体３の両端の摘みガイド切欠き部３ａは抜け止め部材５を基端部５ａを当接して摘んだときに前記摘みガイド切欠き部３ａに指が接して停止し、抜け止め部材５、５の切欠き穴５ｃ、５ｃが丁度重なり合って窓が全開した状態となり、ボタン本体１が自由に挿脱可能となる。
【００２３】
５ｅは、抜け止め部材５の肩部であり、ボタンを抜き取ってボタン受け具Ｔ１を空の状態にしたときに抜け止め部材５の柄の部分が外側に少し飛び出しても落下しないように、抜け止め部材５の肩部５ｅが落下防止面３ｄに当たって係止するようになっている。
【００２４】
尚、本発明の構成要素である扁平筒状体３は、一枚の板材から打ち抜き加工で成形できるものであり、筒状体を構成する最後の合わせ部のみ、圧着、かしめ、溶接等の接続方法で接続する構成となっている。接続方法は、選定した材質に適する方法であれば良い。また落下防止面３ｄは打ち抜く前の展開図に折曲げ部として含んでおくものである。
【００２５】
抜け止め部材５のスライドガイドとなる扁平筒状体３に設けた棚状のガイド部３ｂ、バネ線係止部３ｃ、更に抜け止め部材５に設けたバネ線係止部５ｄは板状の素材に展開図を作成する際に打ち抜き加工と同時または続いて打設加工できるように工程を決めておく。
【００２６】
尚、本実施例では、ボタン受け具の母体を角型の扁平筒状体として図示したが、機能的に満足するものであれば、角型にこだわらず、例えば楕円類似の形状であっても構わない。また、バネ部材は、弦巻バネとしても良く、形状を限定するものではなく、要は出来るだけ厚みを薄くスマートにデザインできるバネであれば良い。実施例１の場合は被服同士を打ち合わせて係着する以外の飾りボタンに最適である。
【実施例２】
【００２７】
実施例２は、図３（ａ）、（ｂ）に示すように、ボタン止具を構成するボタン受け具を二段構造のボタン受け具Ｔ２の扁平筒状体を被服の左右両前見ごろＷ１、Ｗ２の間に介在せしめ、該ボタン受け具Ｔ２を摘み易くするために前記扁平筒状体３を抜け止部材５と共に大小大きさを変えて表裏両側とも別個に摘み操作可能な対向する一体構造の段付き扁平筒状体３０と成し、且つ被服に装着する際に糸や針を用いて取着する必要が無く、表側のボタン本体１及び裏側の止めボタン１０を被服Ｗ１、Ｗ２及び段付き扁平筒状体３０のそれぞれの所定の穴６、３０ｆ、及び７０、６０ｆを介してそれぞれ表裏両側から着脱自在であって、前記ボタン受け具Ｔ２を介して左右両前見ごろＷ１、Ｗ２を係着可能な構成としたことを特徴とする。
【００２８】
実施例１の場合と異なるのは、ボタン受け具Ｔ２を段付き二段構造とし、前身ごろ一側を大きくし、他側を小さくし、摘み操作（図３（ａ）中、矢印ハ、ニ）をするときに相互に干渉するのを避けるように構成したものである。
【００２９】
ボタン本体１に向き合って取り付く部材として、裏ボタン１０、脚部２０、係止部１０ａを示し、５０，６０は抜け止め部材であり、添え字ａ、ｂ、ｃ、ｄは前述の実施例１の場合に順ずるものとする。
【００３０】
図３（ｂ）は、段付き二段構造のボタン受け具Ｔ２の母体となる段付き扁平筒状体３０の斜視図である。
【００３１】
３０ａ、６０ａは、実施例１の３ａに相当する摘みガイド切欠き部である。
【００３２】
３０ｆは、脚部２の、６０ｆは脚部２０の挿通用穴であり、３０ｂ、３０ｂは抜け止め部材６０のガイド部であり、３０ｃ、３０ｃはバネ線４０ｂのバネ線係止部である。
【００３３】
抜け止め部材５０、６０において、５０ｃ、６０ｃは係止穴である。
【００３４】
３０ｄは、前述の実施例１の落下防止面３ｄに相当する部分であり、６０ｄと共に、ボタンを抜き取ってボタン受け具Ｔ２が空の状態になったとき、抜け止め部材５０、６０の柄の部分が外側に少し飛び出しても落下しないように、抜け止め部材５０、６０の肩部５０ｅ、６０ｅが落下防止面３０ｄ、６０ｄに当たって係止し、落下を防止して抜け落ちないようになっている。
【００３５】
以下、取り扱い方法の一例を説明する。
【００３６】
先ず、衣服Ｗ２のボタン穴６′を介してボタン受け具Ｔ２の穴３０ｆ′に裏ボタン１０を裏側から挿通し、このとき抜け止め部材５０′を両側から摘み、ボタンの挿通穴５０ｃ′を全開の状態から係止する閉状態として裏ボタン１０を係止し、次いで表側の例えば、絵ボタン、飾りボタンなどの表側ボタンを衣服Ｗ１のボタン穴６を介してボタン受け具Ｔ２の穴３０ｆに表側から挿通し、抜け止め部材５０を両側から摘み、ボタンの挿通穴５０ｃを全開の状態から係止する閉状態として表側ボタン１を装着する。
【実施例３】
【００３７】
実施例３は、図４（ａ）、（ｂ）において、抜け止め部材９０を片側一個のみとした場合であり、ボタン受け具Ｔ３の母体となる扁平筒状体１００を前述の実施例の場合よりも更に薄型としたもので、ボタン本体１、脚部８０、先端係止部を８０ａとして脚部８０に対し下方に向かって楔状に切り込みを入れ（図３（ｂ）参照）、先端係止部を８０ａが脚部８０の外側に出っ張ることがなく、脚部８０の下部近傍側面に楔状の切欠き凹処を設けた場合であり、各穴の大きさを小さく出来、摘み操作は矢印ト、チの方向から一方は抜け止め部材９０の端部９０ａに当接し、他方は母体となる扁平筒状体１００の反対側端部に指を当接して行うことになる。
【００３８】
９０ｃは、脚部８０の先端係止部８０ａに係止する係止穴である。
【００３９】
１００ａは、実施例１の３ａ、実施例２の摘みガイド切欠き部３０ａに相当する部分である。
【００４０】
図４（ｃ）は、実施例３の変形例であり、ボタン本体１の脚部８０′を断面形状において円形とした場合である。先端係止部を８０ａ′として脚部８０′に対し下方に向かって楔状に切り込みを入れ（図３（ｃ）参照）、前述の角形の係止穴９０ｃに対し半円形状類似の係止穴９０ｃ′（図４（ｃ）参照）とした例であり、ボタンの脚部８０′が円柱状である。
【００４１】
このボタンの脚部８０′が円柱状の場合は、抜け止め部材９０′の９０ａ′を介して摘んで開閉しても良く、またボタン本体１を脚部８０′と共に９０度〜１８０度回すことで、バネ部材４０が付勢力に抗して抜け止め部材１００′がスライド移動して係止状態から解放され、ボタンを脚部８０′と共に抜き取ることができる。
【００４２】
尚、本発明に係るボタン止具の場合は、ボタンと共にボタン受け具を取り外しできるので、例えば、Ｙシャツなどの衣服にアイロンをかけるとき、衣服に穴が開いているだけなので、引っかかる部分がなく、スムーズにアイロンがけをすることが出来る。
【００４３】
本発明に係るボタン止具は、向きが指定される飾りボタンなどを用いる場合、特に効果的であり、また、用途によっては、糸や針を用いなくても被服に対し着脱自在であり、あらゆる被服に広く応用できるものである。
【００４４】
なお、ボタン受け具や抜け止め部材の形状等は実施例に拘らず、機能的に満足するものであれば良く、形状を限定するものではない。
【図面の簡単な説明】
【００４５】
【図１】実施例１における要部構成を示す説明図、（ａ）縦断面図、（ｂ）平面図、（ｃ）要部構成を示す斜視図、（ｄ）構成要素の一例を示す斜視図
【図２】実施例１における作用状況を示す説明図、（ａ）縦断面図、（ｂ）平面図
【図３】実施例２における要部構成を示す説明図、（ａ）縦断面図、（ｂ）構成要素の斜視図
【図４】実施例３における要部構成を示す説明図、（ａ）縦断面図、（ｂ）作用状況を示す平面図、（ｃ）実施例３の変形例の作用状況を示す平面図
【符号の説明】
【００４６】
１、  ボタン本体
２、８０、８０′  脚部
３、１００、１００′  扁平筒状体
４、４０  バネ部材
５、５０、５０′、９０、９０′  抜け止め部材
２ａ、８０ａ、８０ａ′  先端係止部
Ｔ１、Ｔ２、Ｔ３、Ｔ４  ボタン受け具
【図１】
2007083015.tif 000003
【図２】
2007083015.tif 000004
【図３】
2007083015.tif 000005
【図４】
2007083015.tif 000006
【手続補正書】
【提出日】平成18年9月19日(2006.9.19)
【手続補正１】
【補正対象書類名】特許請求の範囲
【補正対象項目名】全文
【補正方法】変更
【補正の内容】
【特許請求の範囲】
【請求項１】
被服のボタンを挿通する所定のボタン穴に所定のボタンを挿通して被服に係着するボタン止具であって、該ボタン止具は脚部を有するボタン本体とボタン受け具とからなり、該ボタン受け具は母体となる扁平筒状体にはガイド部に沿って同時にバネ部材を介して前進後退する一対の抜け止め部材５，５をスライド移動可能とすると共に前記一対の抜け止め部材５，５は枠部と両指で押圧できる柄とより構成されると共に、前記扁平筒状体の上面中央近傍に前記被服のボタン穴と一致する個所に前記ボタンの脚部挿通用穴を有し、前記脚部挿通用穴に挿通されるボタン本体の脚部は前記一対の抜け止め部材５，５の柄の基端部５ａ，５ａをバネ部材の付勢力に抗して摘んだときに前進して開口する一対の抜け止め部材５，５で構成する枠部の係止穴５ｃ、５ｃ内に前記ボタンの先端係止部を挿通し、摘みを解放すると前記バネ部材の付勢力により前記一対の抜け止め部材５，５が後退して閉じる方向に働き、前記ボタンの脚部の先端係止部が係止され、ボタン本体の種類を変えて自由に所望のボタンと交換してボタン本体とボタン受け具とを被服を介して固定可能な構成としたことを特徴とするボタン止具。
【請求項２】
被服を重ね合わせる部分の表裏両側の一致するボタン穴を介して被服を係着する表裏二段構造のボタン止具であって、それぞれ脚部を有する表ボタンと裏ボタンとを係止できるボタン受け具を備え、該ボタン受け具の母体となる扁平筒状体の段付き二段構造の大きい表側にはガイド部に沿って同時にバネ部材を介して前進後退する一対の抜け止め部材５０，５０をスライド移動可能とすると共に前記一対の抜け止め部材５０，５０は枠部と両指で押圧できる柄とより構成されると共に、前記扁平筒状体の上面中央近傍に前記被服のボタン穴と一致する個所に前記表ボタンの脚部挿通用穴を有し、前記脚部挿通用穴に挿通される表ボタン本体の脚部は前記一対の抜け止め部材５０，５０の柄の基端部５０ａ，５０ａをバネ部材の付勢力に抗して摘んだときに前進して開口する一対の抜け止め部材５０，５０で構成する枠部の係止穴５０ｃ、５０ｃ内に前記ボタンの先端係止部を挿通し、摘みを解放すると前記バネ部材の付勢力により前記一対の抜け止め部材５０，５０が後退して閉じる方向に働き、前記ボタンの脚部の先端係止部が係止されて構成され、さらに、扁平筒状体の段付き二段構造の小さい裏側にはガイド部に沿って同時にバネ部材を介して前進後退する一対の抜け止め部材５０′，５０′をスライド移動可能とすると共に前記一対の抜け止め部材５０′，５０′は枠部と両指で押圧できる柄とより構成されると共に、前記扁平筒状体の下面中央近傍に前記被服のボタン穴と一致する個所に前記裏ボタンの脚部挿通用穴を有し、前記脚部挿通用穴に挿通される裏ボタンの脚部は前記一対の抜け止め部材５０′，５０′の柄の基端部をバネ部材の付勢力に抗して摘んだときに前進して開口する一対の抜け止め部材５０′，５０′で構成する枠部の係止穴５０ｃ′、５０ｃ′内に前記ボタンの先端係止部を挿通し、摘みを解放すると前記バネ部材の付勢力により前記一対の抜け止め部材５０′，５０′が後退して閉じる方向に働き、前記ボタンの脚部の先端係止部が係止されて構成され、被服に装着する際に糸や針を用いて取着する必要が無く、表ボタン及び裏ボタンを被服の重ね合わせ部に係着可能な構成としたことを特徴とするボタン止具。
【手続補正２】
【補正対象書類名】明細書
【補正対象項目名】全文
【補正方法】変更
【補正の内容】
【発明の詳細な説明】
【技術分野】
【０００１】
本発明は、被服に取着するボタン止具に関する。
【背景技術】
【０００２】
従来ボタンは、縫い針と糸を用いて被服に取着し固定して着用するのが通例である。
【０００３】
また、先行技術として、例えば学生服等の洋服の袖ボタンを、袖に着脱可能に取り付けるための袖ボタン係止具が開示されている（例えば、特許文献１参照。）。
【特許文献１】実開昭５８−１８３１１０号公報
【発明の開示】
【発明が解決しようとする課題】
【０００４】
然しながら、上述の従来例では簡単にボタンを取り替えることはできなかった。また、学生服等の洋服の場合、学校によってボタンにそれぞれ特徴があり、学校が変わればそれに合わせてボタンを取り替えねばならず、一般的には面倒がられていた。前述の先行技術は、学生服の袖口に取り付ける袖ボタンを板状バネを用いた係止具で着脱できるようにしたもので、この場合は袖口の「あき」の上布に取り付ける袖ボタン用として考案されたもので、大きさ、構造、体裁などの点で他の部位に用いるには課題が残るものである。
【０００５】
本発明は、上述の事情に鑑みて成されたもので、好みの衣服の使用前後に取り付け、取り外しが自由にでき、且つボタン自体を装飾品として好みのボタンを選んで簡単に取り付け、取り外し可能な、衣服を打ち合わせてとめるためのボタン止具を提供することを目的とする。
【課題を解決するための手段】
【０００６】
本発明は、下記構成を備えることにより上記課題を解決できるものである。
【０００７】
（１）被服のボタンを挿通する所定のボタン穴に所定のボタンを挿通して被服に係着するボタン止具であって、該ボタン止具は脚部を有するボタン本体とボタン受け具とからなり、該ボタン受け具は母体となる扁平筒状体にはガイド部に沿って同時にバネ部材を介して前進後退する一対の抜け止め部材５，５をスライド移動可能とすると共に前記一対の抜け止め部材５，５は枠部と両指で押圧できる柄とより構成されると共に、前記扁平筒状体の上面中央近傍に前記被服のボタン穴と一致する個所に前記ボタンの脚部挿通用穴を有し、前記脚部挿通用穴に挿通されるボタン本体の脚部は前記一対の抜け止め部材５，５の柄の基端部５ａ，５ａをバネ部材の付勢力に抗して摘んだときに前進して開口する一対の抜け止め部材５，５で構成する枠部の係止穴５ｃ、５ｃ内に前記ボタンの先端係止部を挿通し、摘みを解放すると前記バネ部材の付勢力により前記一対の抜け止め部材５，５が後退して閉じる方向に働き、前記ボタンの脚部の先端係止部が係止され、ボタン本体の種類を変えて自由に所望のボタンと交換してボタン本体とボタン受け具とを被服を介して固定可能な構成としたことを特徴とするボタン止具。
【０００８】
（２）被服を重ね合わせる部分の表裏両側の一致するボタン穴を介して被服を係着する表裏二段構造のボタン止具であって、それぞれ脚部を有する表ボタンと裏ボタンとを係止できるボタン受け具を備え、該ボタン受け具の母体となる扁平筒状体の段付き二段構造の大きい表側にはガイド部に沿って同時にバネ部材を介して前進後退する一対の抜け止め部材５０，５０をスライド移動可能とすると共に前記一対の抜け止め部材５０，５０は枠部と両指で押圧できる柄とより構成されると共に、前記扁平筒状体の上面中央近傍に前記被服のボタン穴と一致する個所に前記表ボタンの脚部挿通用穴を有し、前記脚部挿通用穴に挿通される表ボタン本体の脚部は前記一対の抜け止め部材５０，５０の柄の基端部５０ａ，５０ａをバネ部材の付勢力に抗して摘んだときに前進して開口する一対の抜け止め部材５０，５０で構成する枠部の係止穴５０ｃ、５０ｃ内に前記ボタンの先端係止部を挿通し、摘みを解放すると前記バネ部材の付勢力により前記一対の抜け止め部材が後退して閉じる方向に働き、前記ボタンの脚部の先端係止部が係止されて構成され、さらに、扁平筒状体の段付き二段構造の小さい裏側にはガイド部に沿って同時にバネ部材を介して前進後退する一対の抜け止め部材５０′，５０′をスライド移動可能とすると共に前記一対の抜け止め部材５０′，５０′は枠部と両指で押圧できる柄とより構成されると共に、前記扁平筒状体の下面中央近傍に前記被服のボタン穴と一致する個所に前記裏ボタンの脚部挿通用穴を有し、前記脚部挿通用穴に挿通される裏ボタンの脚部は前記一対の抜け止め部材５０′，５０′の柄の基端部をバネ部材の付勢力に抗して摘んだときに前進して開口する一対の抜け止め部材５０′，５０′で構成する枠部の係止穴５０ｃ′、５０ｃ′内に前記ボタンの先端係止部を挿通し、摘みを解放すると前記バネ部材の付勢力により前記一対の抜け止め部材５０′，５０′が後退して閉じる方向に働き、前記ボタンの脚部の先端係止部が係止されて構成され、被服に装着する際に糸や針を用いて取着する必要が無く、表ボタン及び裏ボタンを被服の重ね合わせ部に係着可能な構成としたことを特徴とするボタン止具。
【発明の効果】
【０００９】
本発明によれば、好みの衣服の使用前後に取り付け、取り外しが自由にでき、且つボタン自体を装飾品として好みのボタンを選んで簡単に取り付け、取り外し可能な、衣服を打ち合わせてとめるためのボタン止具を提供することが出来る。
【発明を実施するための最良の形態】
【００１０】
以下本発明に係るボタン止具の実施の形態を説明する。
【００１１】
図１は、実施例１における要部構成を示す説明図、（ａ）は縦断面図、（ｂ）は平面図、（ｃ）は要部構成を示す斜視図、（ｄ）は構成要素の一例を示す斜視図、図２は、実施例１における作用状況を示す説明図、（ａ）は縦断面図、（ｂ）は平面図、図３は、実施例２における要部構成を示す説明図、（ａ）は縦断面図、（ｂ）は構成要素の斜視図、図４は、検討例を示す要部構成の説明図、（ａ）は縦断面図、（ｂ）は作用状況を示す平面図、（ｃ）は変形例の作用状況を示す平面図である。
【００１２】
以下図面を参照して実施例を説明する。
【実施例１】
【００１３】
実施例１は、図１に示すように、対向して配された一対の抜け止め部材５，５を設けた場合であり、被服Ｗ１のボタンを取り付ける部位の所定のボタン穴６に挿着して用いる被服Ｗ１に取り付けるボタン止具であって、脚部２を有するボタン本体１とボタン受け具Ｔ１とからなり、ボタン受け具Ｔ１は母体となる例えば角型の扁平筒状体３とバネ部材４を介して前記扁平筒状体３の側面３ｅの所定部位に角窓状に打ち抜かれた棚状板部をガイドとするガイド部３ｂに沿ってスライドする抜け止め部材５とから成り、前記扁平筒状体３の上面中央近傍に前記被服のボタン穴６と係合する前記ボタンの脚部挿通用穴３ｆを有し、前記抜け止め部材５をバネ部材４の付勢力に抗して摘んだときに（図２の矢印イ、ロ）開口した状態の前記脚部挿通用穴３ｆに前記ボタンの脚部２を挿通し、摘みを解放すると前記抜け止め部材５、５が閉じる方向に働き、前記ボタンの脚部２の先端係止部２ａが係止され、ボタン本体１の種類を変えて自由に所望のボタンと交換してボタン本体１とボタン受け具Ｔ１とを被服Ｗ１を介して固定可能な構成としてある。
【００１４】
ボタン受け具Ｔｌを構成する扁平筒状体３は、ボタン受け具Ｔｌの母体の役目を為し、図示するように、扁平の角簡状を呈し、両端開口側から前記脚部の係止穴５ｃ（図１（ｄ）参照）を有する枠部と板状の柄の部分から成る羽子板類似形状の抜け止め部材５、５が扁平筒状体３の側面３ｅに設けた棚状のガイド部３ｂに沿って進退自在であり、コイル部４ａの両端を伸ばし一端を扁平簡状体３の側面３ｅに打圧して突設したバネ線係止部３ｃの細孔に貫設して固定し、９０度方向に伸ばした他端を前記抜け止め部材５、５の所定位置に打圧して突設したバネ線係止部５ｄの細孔に首設して固定し、コイル部が巻き戻る方向に付勢されて前記コイル部を支点に回勤してバネカで抜け止め部材５、５をスライド移動可能であり、本実施例の場合は、抜け止め部材５の基端部５ａ、５ａに当接するように指先で摘んだ時はバネの付勢力に抗して抜け止め部材５、５は前進して対の抜け止め部材５、５の枠部の端部５ｂ、５ｂは互いに離れる方向にスライドし、抜け止め部材５の基端部５ａ、５ａから指先を離して摘みを解放するとバネカが働いて後退し、対の抜け止め部材５、５の枠部の端部５ｂ、５ｂは互いに接近して閉じる状態となり、ボタンを脚部２の係止部２ａを介して固定する構成となっている。
【００１５】
図１（ａ）、（ｂ）、（ｃ）及び（ｄ）は上記の状況と構成要素を示している。
【００１６】
図２（ａ）、（ｂ）は摘み操作を加えた状態を示した図であり、抜け止め部材５、５の基端部５ａ、５ａを図中矢印イ、ロの方向から指を当接して摘んだときに、抜け止め部材５、５の枠部の端部５ｂ、５ｂが互いに離れて解放され脚部２が出入り可能に窓が開いた状態となり、ボタン本体１が装脱可能な構成となっている。
【００１７】
図面は全て拡大図であり、実際の寸法は、例えば、ボタン受け具Ｔ１の高さ寸法は５ｍｍ前後のミリオーダーの大きさである。
【００１８】
係止穴５ｃとなる枠部の穴の形状はボタンの脚部２の形状に係合するように構成すればよく、実施例の図面では、断面形状を長方形状としたが、この場合はボタン本体１が取り付ける向きを指定し、ボタンの向きを規制可能な構成としたものであり、ボタン本体１のデザインによって、向きを規制するか、向きを考慮しなくてもよいかで決めればよく、ボタンの向きを考慮する必要がなければ、例えば、ボタンの脚部２の断面形状は円形など自由に絵柄や形状を選択できる構成とすることが出来る。
【００１９】
抜け止め部材５、５は、扁平筒状体３の両側面３ｅ、３ｅに設けた棚状のガイド部３ｂ、３ｂに沿って進退自在であり、このガイド部３ｂ、３ｂは長方形の窓を一辺を残してコ字状に切り込みを入れ、押圧若しくは打圧して扁平筒状体３の両側面３ｅ、３ｅの内側に棚状に突設して抜け止め部材５のスライド移動時のガイドを構成している。
【００２０】
また、扁平筒状体３の両側面３ｅ、３ｅに設けたバネ線係止部３ｃ、３ｃ及び抜け止め部材５、５のバネ線係止部５ｄ、５ｄは、共に各所定部位に平行な所定長さの切り込みを複数設け、少なくとも１以上の三角の頂点を形成する突起を生ぜしめて小孔を形成させ、この小孔にバネ線４ｂを挿通してバネ部材４を所定位置に固定するようになっている（図１（ｃ）、及び図３参照）。
【００２１】
その他の符号について、Ｗ１は重ね合わせたときに一番表にくる生地をイメージしたものであり、Ｗ２は重ね合わせたときに裏側にくる生地をイメージしたものである。
【００２２】
扁平筒状体３の両端の摘みガイド切欠き部３ａは抜け止め部材５を基端部５ａを当接して摘んだときに前記摘みガイド切欠き部３ａに指が接して停止し、抜け止め部材５、５の係止穴５ｃ、５ｃが丁度重なり合って窓が全開した状態となり、ボタン本体１が自由に挿脱可能となる。
【００２３】
５ｅは、抜け止め部材５の肩部であり、ボタンを抜き取ってボタン受け具Ｔ１を空の状態にしたときに抜け止め部材５の柄の部分が外側に少し飛び出しても落下しないように、抜け止め部材５の肩部５ｅが落下防止面３ｄに当たって係止するようになっている。
【００２４】
尚、本発明の構成要素である扁平筒状体３は、一枚の板材から打ち抜き加工で成形できるものであり、筒状体を構成する最後の合わせ部のみ、圧着、かしめ、溶接等の接続方法で接続する構成となっている。接続方法は、選定した材質に適する方法であれば良い。また落下防止面３ｄは打ち抜く前の展開図に折曲げ部として含んでおくものである。
【００２５】
抜け止め部材５のスライドガイドとなる扁平筒状体３に設けた棚状のガイド部３ｂ、バネ線係止部３ｃ、更に抜け止め部材５に設けたバネ線係止部５ｄは板状の素材に展開図を作成する際に打ち抜き加工と同時または続いて打設加工できるように工程を決めておく。
【００２６】
尚、本実施例では、ボタン受け具の母体を角型の扁平筒状体として図示したが、機能的に満足するものであれば、角型にこだわらず、例えば楕円類似の形状であっても構わない。また、バネ部材は、弦巻バネとしても良く、形状を限定するものではなく、要は出来るだけ厚みを薄くスマートにデザインできるバネであれば良い。実施例１の場合は被服同士を打ち合わせて係着する以外の飾りボタンに最適である。
【実施例２】
【００２７】
実施例２は、図３（ａ）、（ｂ）に示すように、ボタン止具を構成するボタン受け具Ｔ２の扁平筒状体を被服の左右両前見ごろＷｌ、Ｗ２の間に介在せしめ、該ボタン受け具Ｔ２を摘み易くするために前記扁平筒状体３を抜け止め部材５と共に大小大きさを変えて表裏両側とも別個に摘み操作可能な対向する一体構造の段付き扁平筒状体３０と成し、且つ被服に装着する際に糸や針を用いて取着する必要が無く、表ボタン本体１及び裏ボタン１０を被服Ｗｌ、Ｗ２及び段付き扁平筒状体３０のそれぞれの所定の穴６、３０ｆ、及び６′、３０ｆ′を介してそれぞれ表裏両側から着脱自在であって、前記ボタン受け具Ｔ２を介して左右両前見ごろＷｌ、Ｗ２を係着可能な構成としたことを特徴とする。
【００２８】
実施例１の場合と異なるのは、ボタン受け具Ｔ２を段付き二段構造とし、前身ごろ一側を大きくし、他側を小さくし、摘み操作（図３（ａ）中、矢印ハ、ニ、ホ、へ）をするときに相互に干渉するのを避けるように構成したものである。
【００２９】
ボタン本体１に向き合って取り付く部材として、裏ボタン１０、脚部２０、係止部２０ａを示し、５０，５０′は抜け止め部材であり、添え字ａ、ｂ、ｃ、ｄは前述の実施例１の場合に順ずるものとする。
【００３０】
図３（ｂ）は、段付き二段構造のボタン受け具Ｔ２の母体となる段付き扁平筒状体３０の斜視図である。
【００３１】
３０ａ、３０ａ′は、実施例１の３ａに相当する摘みガイド切欠き部である。
【００３２】
３０ｆは脚部２の、３０ｆ′は脚部２０の挿通用穴であり、３０ｂ、３０ｂは抜け止め部材５０、５０′のガイド部であり、３０ｃ、３０ｃはバネ線４０ｂのバネ線係止部である。
【００３３】
抜け止め部材５０、５０′において、５０ｃ、５０ｃ′は係止穴である。
【００３４】
３０ｄは、前述の実施例１の落下防止面３ｄに相当する部分であり、３０ｄ′と共に、ボタンを抜き取ってボタン受け具Ｔ２が空の状態になったとき、抜け止め部材５０、５０′の柄の部分が外側に少し飛び出しても落下しないように、抜け止め部材５０、５０′の肩部（図１（ｄ）の５ｅに相当する部分）が落下防止面３０ｄ、３０ｄ′に当たって係止し、落下を防止して抜け落ちないようになっている。
【００３５】
以下、取り扱い方法の一例を説明する。
【００３６】
先ず、衣服Ｗ２のボタン穴６′を介してボタン受け具Ｔ２の穴３０ｆ′に裏ボタン１０を裏側から挿通し、このとき抜け止め部材５０′を両側から摘み、抜け止め部材の係止穴５０ｃ′を全開の状態から係止する閉状態として裏ボタン１０を係止し、次いで表側の例えば、絵ボタン、飾りボタンなどの表ボタンを衣服Ｗ１のボタン穴６を介してボタン受け具Ｔ２の穴３０ｆに表側から挿通し、抜け止め部材５０を両側から摘み、ボタンの挿通穴５０ｃを全開の状態から係止する閉状態として表ボタン１を装着する。
次に、本発明の検討例を以下に示す。
【００３７】
この検討例は、図４（ａ）、（ｂ）において、抜け止め部材９０を片側一個のみとした場合であり、ボタン受け具Ｔ３の母体となる扁平筒状体１００を前述の実施例の場合よりも更に薄型としたもので、ボタン本体１、脚部８０、先端係止部を８０ａとして脚部８０に対し下方に向かって楔状に切り込みを入れ、先端係止部８０ａが脚部８０の外側に出っ張ることがなく、脚部８０の下部近傍側面に楔状の切欠き凹処を設けた場合であり、各穴の大きさを小さく出来、摘み操作は矢印ト、チの方向から一方は抜け止め部材９０の端部９０ａに当接し、他方は母体となる扁平筒状体１００の反対側端部に指を当接して行うことになる。
【００３８】
９０ｃは、脚部８０の先端係止部８０ａに係止する係止穴である。
【００３９】
１００ａは、摘みガイド切り欠き部である。
【００４０】
図４（ｃ）は、上記図４（ａ）、（ｂ）の変形例であり、ボタン本体１の脚部８０′を断面形状において円形とした場合である。先端係止部を８０ａ′として脚部８０′に対し下方に向かって楔状に切り込みを入れ、前述の角形の係止穴９０ｃに対し半円形状類似の係止穴９０ｃ′とした例であり、ボタンの脚部８０′が円柱状である。
【００４１】
このボタンの脚部８０′が円柱状の場合は、抜け止め部材９０′の９０ａ′を介して摘んで開閉しても良く、またボタン本体１を脚部８０′と共に９０度〜１８０度回すことで、バネ部材４０が付勢力に抗して抜け止め部材１００′がスライド移動して係止状態から解放され、ボタンを脚部８０′と共に抜き取ることができる。
【００４２】
尚、本発明に係るボタン止具の場合は、ボタンと共にボタン受け具を取り外しできるので、例えば、Ｙシャツなどの衣服にアイロンをかけるとき、衣服に穴が開いているだけなので、引っかかる部分がなく、スムーズにアイロンがけをすることが出来る。
【００４３】
本発明に係るボタン止具は、向きが指定される飾りボタンなどを用いる場合、特に効果的であり、また、用途によっては、糸や針を用いなくても被服に対し着脱自在であり、あらゆる被服に広く応用できるものである。
【００４４】
なお、ボタン受け具や抜け止め部材の形状等は実施例に拘らず、機能的に満足するものであれば良く、形状を限定するものではない。
【図面の簡単な説明】
【００４５】
【図１】実施例１における要部構成を示す説明図、（ａ）縦断面図、（ｂ）平面図、（ｃ）要部構成を示す斜視図、（ｄ）構成要素の一例を示す斜視図
【図２】実施例１における作用状況を示す説明図、（ａ）縦断面図、（ｂ）平面図
【図３】実施例２における要部構成を示す説明図、（ａ）縦断面図、（ｂ）構成要素の斜視図
【図４】検討例を示す要部構成の説明図、（ａ）縦断面図、（ｂ）作用状況を示す平面図、（ｃ）変形例の作用状況を示す平面図
【符号の説明】
【００４６】
１、  ボタン本体
２、８０、８０′  脚部
３、１００、１００′  扁平筒状体
４、４０  バネ部材
５、５０、５０′、９０、９０′  抜け止め部材
２ａ、８０ａ、８０ａ′  先端係止部
Ｔ１、Ｔ２、Ｔ３、Ｔ４  ボタン受け具
【手続補正３】
【補正対象書類名】図面
【補正対象項目名】図１
【補正方法】変更
【補正の内容】
【図１】
2007083015.tif 000007
【手続補正４】
【補正対象書類名】図面
【補正対象項目名】図４
【補正方法】変更
【補正の内容】
【図４】
2007083015.tif 000008